(57)【要約】      （修正有）【課題】シートを用いることにより簡単に入力操作を行い、選択されたシートから必要な項目を入力することにより必要とするサービスの提供を受ける。【解決手段】シート入力装置は、指定コードを読取るための指定コード読取り部と、ユーザによりアプリケーションプログラムの実行に関連する操作入力を行うための操作情報入力部と、シート上を操作することにより生ずる位置座標情報を発信する手段を備えるペンからの位置座標情報を受信する検出部とを有する。情報通信端末装置の処理部はこの指定コード読取り部で読み取られた指定コードと、操作情報入力部から入力された操作情報に基いて関連するアプリケーションプログラムを実行し、このアプリケーションプログラムの実行により、シート上を操作するペンによる検出部から得られる情報を有効化するための処理を行う。このアプリケーションプログラムの実行によりシートから要求されたサービスが提供される。【選択図】  図１
2005326923.tif 000002
【特許請求の範囲】
【請求項１】
複数のアプリケーションプログラムから選択されたアプリケーションプログラムを実行する処理部を備える情報通信端末装置と、
該情報通信端末装置に接続され、あるアプリケーションプログラムを利用するための指定コードと操作内容の記述部を備えるシートを用いて操作されるシート入力装置と、を有し、
該シート入力装置は、該シートに付された該指定コードを読取るための指定コード読取り部と、ユーザによりアプリケーションプログラムの実行に関連する操作入力を行うための操作情報入力部と、該シート上を操作することにより生ずる位置座標情報を発信する手段を備えるペンからの位置座標情報を受信する検出部とを含み、
前記処理部は、該指定コード読取り部で読み取られた該指定コードと、該操作情報入力部から入力された操作情報に基いて関連するアプリケーションプログラムを実行し、該アプリケーションプログラムの実行により、該シート上を操作する該ペンにより該検出部から得られる情報を有効化するための処理を行うことを特徴とする端末システム。
【請求項２】
該シートは該手書軌跡を記述するための手書き領域部を備え、
前記ペンは、ユーザによって手書きされた線描の軌跡を検出するための手書用デバイスであり、
前記検出部は、該手書きデバイスによる手書軌跡を検出するものであり、
前記情報通信端末装置は、該手書軌跡検出部から送られる手書軌跡入力座標情報を格納する手書用デバイス入力座標格納部と、該シートの指定コードに対応した手書軌跡入力座標の範囲と該手書軌跡入力座標の範囲に対応する制御内容との対応関係を示す情報を格納する入力座標−制御情報対応テーブルと、を有し、
該手書き軌跡検出部から得られた情報に関して、該手書用デバイス入力座標格納部及び該入力座標−制御情報対応テーブルを参照することにより、該アプリケーションプログラムが必要とする情報を生成することを特徴とする請求項１の端末システム。
【請求項３】
前記手書用デバイスは手書した線描を消去する機能を備え、該シートに記した線描を消去するとその消去した個所に対応して、該手書用デバイス入力座標格納部に格納された情報が無効化されることを特徴とする請求項２の端末システム。
【請求項４】
あるアプリケーションのために利用されるシートを着脱自在にして装着する、開閉可能な複数のシートホルダと、ユーザにより操作可能な状態で開かれたシートホルダを検出するシートホルダページ検出部と、該シートホルダページ検出部で検出したシートホルダページ情報を送信する送信部と、を有するシート入力装置と、
該シート入力装置に接続され、該シートホルダのページ情報と実行するアプリケーションプログラムとの対応関係を指定したシートホルダページ制御テーブル部を有し、該入力装置から受取ったシートホルダページ情報により指定されたシートホルダページ制御テーブル部のアプリケーションプログラムに関する処理を実行する情報通信端末装置と、を有することを特徴とする端末システム。
【請求項５】
現在開かれている該シートホルダーに装着されたシートから入力されたサービス指定情報を該情報通信端末装置へ送信し、該サービス指定情報に基いて該シートホルダページ制御テーブル部のシートホルダのページに対応するサービスを指定し、各シートホルダのページに対応するサービスは該シート入力装置から新たなサービス指定情報を受信するまでは変更されないことを特徴とする請求項４の端末システム。
【請求項６】
前記シート入力装置と前記情報通信端末装置とは、ＵＳＢケーブルにより接続されることを特徴とする請求項１乃至５のいずれかの項記載の端末システム
【請求項７】
請求項１乃至６のいずれかに記載の端末システムにおいて使用されるシート又はシートホルダ。
【請求項８】
請求項１乃至６のいずれかに記載の端末システムにおいて使用されるシート入力装置。
【請求項９】
請求項８に記載のシート入力装置において実施される入力方法。
【請求項１０】
情報処理装置を利用してサービスを提供する方法において、
該情報処理装置で実行される、サービスに対応する複数のアプリケーションプログラムを予め用意するステップと、
提供されるサービスと、ユーザより要求されるサービスのために使用されるシートとを関連付けるステップと、
複数のシートから選択された該シートに対応するアプリケーションプログラムを実行させるステップと、
該シート上を操作して使用される入力ペンからの位置情報を検出するステップと、
検出される位置情報に対する有効性の判断するステップと、
該位置情報が有効な場合に、該アプリケーションプログラムに対する情報の入力を有効として該シートを用いたサービスの提供を行うステップと、
を有するサービス提供方法。
【請求項１１】
該シートに対応して、提供されるサービスを選択するコードが付与され、かつ、
前記有効性の判断ステップは、該入力ペンから得られる位置情報に対する入力許容範囲を定めるテーブルを参照して行うことを特徴とする請求項１０記載のサービス提供方法。
【請求項１２】
複数のアプリケーションプログラムから選択されたアプリケーションプログラムを情報処理装置にて実行して、サービスの提供を行うシステムにおいて、
要求するサービスに関する情報を入力するために、サービスに関連した識別情報と操作内容の記述部を備えるシートが使用され、
該シートに付された該識別情報を読取るための読取り部と、該シートに対してユーザにより操作され、該シート上の位置情報を発信する発信手段を有するペン入力手段と、該ペン入力手段によるシート上の位置を検出するための検出部とを有する入力装置を含み、
該情報処理装置は、該読取り部により得られた該識別情報に基いて関連するアプリケーションプログラムを選択して実行し、該アプリケーションプログラムの実行の下、使用されたシートを該ペン入力手段で操作した結果、該検出部より得られた入力情報を有効化するための処理を行うことを特徴とするサービス提供のための処理システム。
【請求項１３】
前記入力選択手段は、該シートに描写する手書部と、該手書部が操作された時に超音波を発する発信部を有する手書デバイスであり、
前記入力装置は、選択されたシートに関連して、ユーザによりアプリケーションプログラムの実行に関連する操作入力を行うための操作情報入力部を更に有し、
該情報処理装置は、該操作情報入力部からの情報により、該アプリケーションプログラムの実行によるサービスの予約、確認、取消の選択のいずれかの処理を行うことを特徴とする請求項１２の処理システム。
【請求項１４】
該情報処理装置は、入力シートに対する操作により入力された情報を、該入力シートの形式に編集処理して、その処理結果を表示画面に表示する出力装置を有することを特徴とする請求項１２又は１３の処理システム。
【発明の詳細な説明】
【技術分野】
【０００１】
本発明は端末システム、入力装置及びサービス提供方法に係り、更に詳しく言えば、シートを用いて簡便な操作によって情報の入力を行い、ネットワークを介してサービスの提供を受け得る端末システム、入力装置、及びサービス提供方法、入力用の入力シートに関するものである。
【背景技術】
【０００２】
パーソナルコンピュータ(パソコン)のような情報通信端末装置を用いて、インターネットを利用してサービスやアプリケーションの提供を受けることが日常的に行われている。そのためには、パソコンを使いこなすことが必須となる。通常、パソコンにおける入力操作は、主にキーボードとマウスを用いて行われるので、パソコンの操作を習得するためにはまずこのキーボードとマウスの操作に習熟する必要がある。
【０００３】
また、パソコンのハードウェアやオペレーティングシステム（ＯＳ）、及びソフトウェアの陳腐化が早い。現状では、数ヶ月から数年で新世代の製品が登場し、より高度な機能や性能が実現される。このため、利用者も自分のパソコンの機能やソフトウェアを継続的に更新して世代交代を図る必要があり、それらを怠ると新たなソフトウェアやサービスを利用することが難しくなる。
更に、インターネットの利用が一般家庭の主婦や高齢者まで広がり、サービスが多様化して行く環境下では、初心者や未習熟者にとってパソコン等の操作が障害となっている。
【０００４】
そこで、パソコンの入力方法を改善した、種々の入力方法が提案されている。例えば特許公開２００1−１１９００８公報（特許文献１）や特許公表２００２−５２３８３０公報（特許文献２）には、手書きの手書情報をデータとして入力する入力方式が開示されている。
しかし、これらの文献には、手書内容を訂正しようとした場合のデータの消去方法については触れられてはいない。通常、そのような消去作業はマウスやキーボードを使うか、データの入力モードを消去モードに切り替えた上で、手書きの入力用ペンを使って、消去したい手書きの手書エリアをなぞって消去するといった方法により行われる。後者の場合は既に手書された絵や文字が実際に消えるわけではないのでパソコン上の画面等で消去状態を確認しながら実行する必要があるため、消去訂正まで考えた場合は、初心者にとって必ずしも使いやすいとはいえない。
【０００５】
他の入力方法として、特許公開２００２−０７７９９８公報（特許文献３）や、特許公開２００２−１１８６７９公報（特許文献４）には、予めプリントされた入力用シートに、手書きで操作情報を入力して、情報通信端末装置の操作性の容易化を図った入力方式が開示されている。
【０００６】
また、他の入力方法としては、特表２０００−５１０６１４公報（特許文献５）に開示のように、入力用シートの入力項目毎にスイッチを組み込んだものを使用したり、或いは、米国特許６，６５０，８６７号明細書（特許文献６）に開示のように、多数のスイッチを敷き詰めたベースの上にシートを載せて、そシートの上から入力項目を押してその下にあるスイッチを押下することにより対応するアプリケーションを操作する入力方法が提案されている。
【０００７】
【特許文献１】特開２００1−１１９００８公報
【０００８】
【特許文献２】特表２００２−５２３８３０公報
【特許文献３】特開２００２−０７７９９８公報
【特許文献４】特開２００２−１１８６７９公報
【特許文献５】特表２０００−５１０６１４公報
【特許文献６】米国特許６，６５０，８６７号明細書
【発明の開示】
【発明が解決しようとする課題】
【０００９】
上記特許文献３及び４に開示された入力方式は、シートに記述された内容の消去や修正を手で行うことができる。しかしこの方式は装置の設定やアプリケーションの設定方法の容易化を図ったものである。通常の操作そのものは各装置毎に対応することを前提としており、装置毎にそれぞれの操作方法を習得する必要がある。
【００１０】
また、上記特許文献５に開示された入力方法によれば、入力用シートの入力項目毎にスイッチを組み込んだものは、入力操作は簡単であるが、入力項目全てにスイッチを組み込んでいるので、コスト高になる。また多数のスイッチを敷き詰めたベースを使用するものでは、有効なスイッチ位置はシートをベースに装着する際に予め指定されたパターンを読み込ませなければならず、この作業は高齢者等には不慣れで、難しい。
【００１１】
高齢者は、加齢とともに記憶保持能力や各種認知能力が低下し、既に昔パソコン操作を習得した人であってもマウスやキーボード操作を伴うパソコン操作が困難になっていく傾向が見られる。更に、今日のパソコンはハードウェアやソフトウェアの陳腐化が著しく、古いパソコンは、修理が難しくなり、新しいソフトウェアの対応が不可能な場合も多々ある。例え使い慣れたハードウェアやソフトウェアであっても、世の中の変化に合わせて、アップグレードや構成変更を行わざるを得ない場合も多く、そのような作業や新たな操作の習得は高齢者にとって、大きな負担を伴う。
【００１２】
本発明の目的は、シートを用いて簡単に入力操作を行える端末システム及び入力方法を提供することにある。
本発明の他の目的は、複数のシートを適宜選択的に利用し、目的のアプリケーションを実行し、選択されたシートから必要な項目を入力することにより必要とするサービスの提供を受けるサービスシステムを提供することにある。
【課題を解決するための手段】
【００１３】
本発明に係る端末システムは、複数のアプリケーションプログラムから選択されたアプリケーションプログラムを実行する処理部を備える情報通信端末装置と、情報通信端末装置に接続され、あるアプリケーションプログラムを利用するための指定コードと操作内容の記述部を備えるシートを用いて操作されるシート入力装置とを有し、シート入力装置は、シートに付された指定コードを読取るための指定コード読取り部と、ユーザによりアプリケーションプログラムの実行に関連する操作入力を行うための操作情報入力部と、シート上を操作することにより生ずる位置座標情報を発信する手段を備えるペンからの位置座標情報を受信する検出部とを含み、上記処理部は指定コード読取り部で読み取られた指定コードと、操作情報入力部から入力された操作情報に基いて関連するアプリケーションプログラムを実行し、このアプリケーションプログラムの実行により、シート上を操作するペンにより検出部から得られる情報を有効化するための処理を行う。
好ましい例では、上記シートは手書軌跡を記述するための手書き領域部を備え、上記ペンは、ユーザによって手書きされた線描の軌跡を検出するための手書用デバイスであり、
上記検出部は、該手書きデバイスによる手書軌跡を検出するものであり、前記情報通信端末装置は、手書軌跡検出部から送られる手書軌跡入力座標情報を格納する手書用デバイス入力座標格納部と、シートの指定コードに対応した手書軌跡入力座標の範囲と手書軌跡入力座標の範囲に対応する制御内容との対応関係を示す情報を格納する入力座標−制御情報対応テーブルとを有し、手書き軌跡検出部から得られた情報に関して、手書用デバイス入力座標格納部及び入力座標−制御情報対応テーブルを参照することにより、アプリケーションプログラムが必要とする情報を生成する。
また、好ましくは、上記手書用デバイスは手書した線描を消去する機能を備え、シートに記した線描を消去するとその消去した個所に対応して、手書用デバイス入力座標格納部に格納された情報が無効化される。
【００１４】
本発明の他の例に係る端末システムは、あるアプリケーションのために利用されるシートを着脱自在にして装着する、開閉可能な複数のシートホルダ（例えば、入力シート収容パネル２５）と、ユーザにより操作可能な状態で開かれたシートホルダを検出するシートホルダページ検出部と、シートホルダページ検出部で検出したシートホルダページ情報を送信する送信部とを有するシート入力装置と、このシート入力装置に接続され、シートホルダのページ情報と実行するアプリケーションプログラムとの対応関係を指定したシートホルダページ制御テーブル部を有し、入力装置から受取ったシートホルダページ情報により指定されたシートホルダページ制御テーブル部のアプリケーションプログラムに関する処理を実行する情報通信端末装置とを有する。
一例では、上記端末システムにおいて、現在開かれている該シートホルダーに装着されたシートから入力されたサービス指定情報を情報通信端末装置へ送信し、サービス指定情報に基いてシートホルダページ制御テーブル部のシートホルダのページに対応するサービスを指定し、各シートホルダのページに対応するサービスはシート入力装置から新たなサービス指定情報を受信するまでは変更されない。
また、好ましくは、前記シート入力装置と前記情報通信端末装置とは、ＵＳＢケーブルにより接続される。
【００１５】
また、本発明は、上記端末システムにおいて使用されるシート又はシートホルダを提供する。
また、本発明は、上記端末システムにおいて使用されるシート入力装置、及びこのシート入力装置において実施される入力方法を提供する。
【００１６】
本発明に係るサービス方法は、情報処理装置を利用してサービスを提供する方法において、情報処理装置で実行される、サービスに対応する複数のアプリケーションプログラムを予め用意するステップと、提供されるサービスと、ユーザより要求されるサービスのために使用されるシートとを関連付けるステップと、複数のシートから選択された該シートに対応するアプリケーションプログラムを実行させるステップと、シート上を操作して使用される入力ペンからの位置情報を検出するステップと、検出される位置情報に対する有効性の判断するステップと、位置情報が有効な場合に、該アプリケーションプログラムに対する情報の入力を有効として該シートを用いたサービスの提供を行うステップとを有する。
好ましい例では、シートに対応して、提供されるサービスを選択するコードが付与され、かつ、上記有効性の判断ステップは、入力ペンから得られる位置情報に対する入力許容範囲を定めるテーブルを参照して行う。
【００１７】
本発明は、また、複数のアプリケーションプログラムから選択されたアプリケーションプログラムを情報処理装置（例えば情報通信端末装置を含む）にて実行して、サービスの提供を行うシステムにおいて、要求するサービスに関する情報を入力するために、サービスに関連した識別情報と操作内容の記述部を備えるシートが使用され、シートに付された該識別情報を読取るための読取り部と、シートに対してユーザにより操作され、シート上の位置情報を発信する発信手段を有するペン入力手段と、該ペン入力手段によるシート上の位置を検出するための検出部とを有する入力装置を含み、情報処理装置は、読取り部により得られた該識別情報に基いて関連するアプリケーションプログラムを選択して実行し、アプリケーションプログラムの実行の下、使用されたシートをペン入力手段で操作した結果、検出部より得られた入力情報を有効化するための処理を行うサービス提供のための処理システムとしても把握される。
一例では、上記ペン入力手段は、シートに描写する手書部と、手書部が操作された時に超音波を発する発信部を有する手書デバイスであり、前記入力装置は、選択されたシートに関連して、ユーザによりアプリケーションプログラムの実行に関連する操作入力を行うための操作情報入力部を有し、情報処理装置は、操作情報入力部からの情報により、該アプリケーションプログラムの実行によるサービスの予約、確認、取消の選択のいずれかの処理を行う。
また、一例では、上記情報処理装置は、入力シートに対する操作により入力された情報を、入力シートの形式に編集処理して、その処理結果を表示画面に表示する出力装置を有する。
【発明の効果】
【００１８】
本発明によれば、シートを用いて比較的簡単に入力操作を行うことができる。また、シートを適宜選択的に利用して、各シートに対応したアプリケーションを実行し、選択されたシートから必要な項目を入力することにより必要とするサービスの提供を受けることができる。
【発明を実施するための最良の形態】
【００１９】
以下、図面を参照して本発明の実施例について説明する。
図1は本発明の一実施例によるサービスシステムの構成例を示す。
【００２０】
図1において、このサービスシステムは、ネットワーク４に接続される端末システム１００と、サービスを提供するサーバシステム５を含んで構成される。端末システム１００は、パソコン等の情報通信端末装置１と、この情報通信端末装置１に接続される表示装置等の出力装置１１、およびシート３を用いて情報の入力を行うシート入力装置２を有して構成される。
【００２１】
情報通信端末装置１は、表示装置１１を含む例えばパソコンであり、ハードウェアとして処理装置とメモリ（図示せず）を含む処理部１３を有し、この処理部１３は、全てのサービスに共通な共通処理部１３１及び個別のサービス対応に実行される個別処理部１３２から構成される。共通処理部１３１では、手書用デバイス入力座標テーブル１３１１及びユーザ情報１３１２、及びシート入力装置２からの入力を制御する共通制御プログラム１３１３をメモリに保持する。
【００２２】
また個別処理部１３２では、入力座標−制御情報対応テーブル１３２１及びシート対応の個別アプリケーションプログラム１３２２をメモリに保持する。入力座標−制御情報対応テーブル１３２１及びシート対応の個別アプリケーションプログラム１３２２の対は、選択されえるサービスに対応する分だけ予め用意されて、サーバシステム５のデータベース（ＤＢ）サーバ５２のサービス管理ＤＢ５２２又は情報通信端末装置１のハードディスクやＣＤ−ＲＯＭのような大容量記憶装置（図示せず）に格納されている。サービスの実行時に、大容量記憶装置からテーブル及びアプリケーションプラグラムが読み出されて個別処理部１３２にロードされる。そのロードの対象は、後述する入力シート３の指定コード３１によって関係付けられたシート対応の個別アプリケーションプログラム１３２２及びテーブル１３２１が選択される。
情報通信端末装置１のデータ送受信部１５には、例えばＵＳＢインタフェースを介してシート入力装置２のデータ送受信部２８が接続される。
【００２３】
シート入力装置２は、ユーザが入力シート３を用いて情報の入力を行う機能を有する。尚、入力用シート３の構成については後述する。シート入力装置２は、入力用シート３を搭載するために平板形状を成し、シート３から指定された項目や位置等の情報を取得するために種々の工夫が成されている。即ち、シート入力装置２は、シート３に付されたサービス指定コード３１を読み取るためのコード読取部２１と、操作情報入力部２２、手書軌跡検出部２３、および手書き文字等を検知して、入力する入力用ペンとしての手書用デバイス２４を備えて構成される。手書軌跡検出部２３では手書用デバイス２４による手書軌跡を検出する。
【００２４】
ここで、入力シート３の構成について説明する。
入力シート３は、例えば医者の受信予約サービス（図１０参照）やメールの送信サービス（図１２）、チケットの予約、商品の購入、等の種々のサービス毎に用意される。提供されるサービス毎にその内容をユーザに示し、ユーザの指定によりその内容項目を選択して入力するための道具であり、シート毎即ちサービス毎に異なる指定コード３１が付されている。指定コード３１は各入力シートが実行するサービスを指定するためのものであり、例えばバーコートや磁気テープに記憶されたコード情報、あるいはＩＣタグのようなコード格納形式のものである。従ってそのコード格納形式に応じて、コード読取部２１の構成が異なる。つまり、バーコードの場合には読取部１は光学式のセンサであり、磁気テープの場合には、磁気ヘッドであり、ＩＣタグの場合にはアンテナ部を含む受信回路である。
尚、他の例として、図１０に示す様に、指定コード３１を選択部３２２の組み合わせで構成し、その位置や数を各シート毎に異ならせる。手書きデバイス２４でその選択部をポインティングすることで、そのシートの指定コードを読み取る。このような構成によって、コード読取部２１を不要とすることもできる。
【００２５】
入力シートの詳細な例を、図１０及び図１２に示す。
入力シート３は、内容選択のための案内文を表示する選択記述部３２１、及びその記述部３２１に対して項目を選択する選択部３２２を備える。また、図１２のように、手書きデバイス２４で手書き文字を描いたり、ポインティングを行う手書き領域３３、その手書き領域部３３の操作内容について予め記述した記述部331、及びスイッチによる選択入力のための案内文を記述するスイッチ記述部３４を備えて構成される。
【００２６】
手書き領域部３３への入力情報としては、選択のためのチェックマークの記入や塗りつぶし、絵や文字の筆描等が考えられる。また、手書領域内への書き込みを行わず、単にペン先を押し付けることによってペンのシート上に於ける現在位置を知らせるポインティング操作も可能である。
また操作内容に関した記述部321,331は、シート入力装置２の操作情報入力部２２におけるスイッチ２２１の位置を示すこともできる。例えばシート入力装置２にシートをセットしたとき、シート上に印刷されたスイッチ2211,2212の名称や機能説明の位置を、スイッチ2211,2212の近くとすることにより、ユーザは容易に、スイッチの意味を知ることができる。
【００２７】
なお、選択記述部３２１及びそれと対を成す選択部３２２の数、及びスイッチ記述部３４の数は、図１０、図１２に示すものに限定されない。また、シート上でのこれらの項目の位置や数は、サービスに応じて任意である。後述するように、サービス指定コード３１、入力座標とシート対応の個別アプリケーションプログラムの指定との関係を示すテーブルで、これらの関係が把握されていれば、シート３内の項目の位置等は任意に設定できる。これらについては図６や図１３に例示される。
【００２８】
サービスを提供するためのこれらの入力シートは、サービスプロバイダからユーザへ、ブック状に綴じられたものを定期的に配布、或いは新聞の折込広告による配布、サービスＷｅｂサイトからの希望ページのダウンロード、ファックスによる受信、等により取得できる。
【００２９】
さて、シート入力装置２の構成についての説明に戻る。
操作情報入力部２２は、ユーザにより操作される複数の押しボタンスイッチ2211,2212、及びそれらスイッチの状態を検出してデータ送受信部２８に伝えるためのスイッチ信号検知部２２２を備える。また、手書軌跡検出部２３は手書デバイス２４によって描かれる軌跡即ち位置を検出する。この原理及び構成については図２及び図３を参照して後述する。
【００３０】
尚、情報通信端末装置１とシート入力装置２とは、お互いにそれらのデータ送受信部２８、１５を例えばＵＳＢインタフェースにより接続されると説明したが、その場合、コード読取部２１、操作情報入力部２２、および手書軌跡検出部２３にて取得したデータはデータ送受信部２８にてＵＳＢインタフェースに変換されて、情報通信端末装置１に送信される。
【００３１】
サーバシステム５は、全てのサービスの処理に共通な共通対応部501と、サービス別対応部502により構成される。共通対応部501には、インターネット４を経由して情報通信端末装置１とサーバ側との間でデータの送受信処理を行うためのＷｅｂサーバ５１およびサービス管理情報やユーザ管理情報を収容したデータベース（ＤＢ）サーバ５２が含まれる。データベースサーバ５２は、ユーザ情報管理ＤＢ５２１とサービス管理ＤＢ５２２を有する。前者のユーザ情報管理ＤＢ５２１は、サービスの提供を行うユーザがログインするためのユーザＩＤやパスワード、利用対象サービス等のユーザ情報を登録して管理する。後者のサービス管理ＤＢ５２２は、システムがサポートする各サービスを識別するサービスＩＤ、検出したサービスＩＤに対応してダウンロードが行われる入力座標−制御情報対応テーブルデータとシート対応の個別アプリケーションプログラム等を含むサービス情報を登録して管理する。
また、サービス別対応部５０２はネットワークサービスサーバ５３を有し、サーバ５３により直接選択されたサービスの提供を行うか、あるいはサービスに対応するサイトに接続してサービスを提供する。
尚、サーバシステム５として説明するが、これはホストコンピュータであってもよい。いずれにしてもサービスを提供するコンピュータ或いはプロバイダのサイトである。
【００３２】
このような構成のネットワークサービスシステムにおいて実行される、サービスの提供について説明する。
まず、ユーザは必要とするサービスに対応した入力シート３をシート入力装置２にセットする。もし各種入力シートが本のように綴じられている場合は、該当するページを開く。
シート入力装置２のコード読取部２１により、入力シートのサービス指定コード３１が読取られる。その情報はデータ送受信部２８，１５を通して通信端末装置１へ送られ、処理部１３のユーザ情報格納部１３１２に格納されたユーザ識別コードとともにサーバシステム５に送信される。なおこのときのユーザ識別コードはユーザログインの際、ユーザＩＤとパスワードにより本人認証を行った後は、このユーザＩＤをユーザ識別コードとして用いることができる。
【００３３】
サーバシステム５では、データベースサーバ５２が、ユーザ識別コードをキーとして、ユーザ管理データ５２１を参照し、サービスの提供の可否や課金開始のための処理等を行う。またサービス指定コード２１をキーとしてサービス管理ＤＢ５２２を参照することにより、入力シート３によりユーザがサービスに関する操作に必要な、情報通信端末装置１側で実行するコントロールプログラム１３２２および入力座標−制御情報対応テーブル１３２１を読み出して情報通信端末装置１にダウンロードする。これらの読出し情報は処理部１３のコントロールプログラム１３２２および入力座標−制御情報対応テーブル１３２1に格納され、以後、ユーザによる入力シートを使った操作が可能になる。
【００３４】
なお、情報通信端末装置１側で一度取り込んだコントロールプログラムおよび入力座標−制御情報対応テーブル１３２１は、２回目以降はサーバシステム５からインターネット経由で読み出さなくても済むよう情報通信端末装置１側の記憶装置内にキャッシングし、ダウンロードに要する時間を節約するようにしてもよい。
【００３５】
次に、図２を参照して手書用デバイス２４及び手書軌跡検出部２３の構成について説明する。
図２において、手書用デバイス２４は、ペン入力手段として機能し、シートに筆記するためのペン先を備えた手書部２４１、筆記した線描を消去するための消去部２４２を備えると共に、内部機構として、手書部２４１のペン先側からの圧迫によりオンするスイッチ２４４、消去部２４２の消しゴム側からの圧迫によりオンするスイッチ２４５、超音波を発信する超音波出力部２４６、および手書用デバイス制御部２４３により構成される。尚、図示していないが、バッテリを有する。
【００３６】
手書用デバイス制御部２４３は、スイッチ２４４及びスイッチ２４５がオンしたとき超音波出力部２４６から超音波を出力する。ここで、スイッチ２４４がオンした時、すなわち手書部２４１による線描が行われている時と、スイッチ２４５がオンした時、すなわち消去部２４２による線描の消去が行われている時は区別できるように、それぞれ異なる周波数で変調された超音波パルスを発信する。
尚、線描の消去は必ずしも消しゴムでなく、ホワイトペイント等を塗って消去するようにしてもよい。
手書軌跡検出部２３は、２つの超音波検出部２３１および座標変換部２３２により構成される。超音波出力部２４６から発信された超音波を互いに離れた２箇所の超音波検出部２３１および２３２で検出するためである。
【００３７】
図３のタイムチャートを参照して、手書用デバイス２４による位置検出の原理について説明する。
超音波検出部２３１および２３２のそれぞれで検出される超音波と基準信号との時間差ｔ１、ｔ２に音速を掛けることにより、手書用デバイス２４の位置を求めることができる。また超音波パルスの変調周波数からスイッチ２４４と２４５のいずれがオンしているかを求めることができる。ここで基準信号は、例えば操作開始時に予め超音波検出部２３１および２３２からの距離の分かっている特定の位置に手書用デバイス２４を置いて、超音波パルスを発信させることによって求めることができる。
【００３８】
尚、他の方法として、手書用デバイス２４から超音波パルスを発信するとき、同時に伝搬時間がほぼ無視される赤外線等を発信し、それを筆記軌跡検出部２３側で検出することにより求めることもできる。
このようにして、座標変換部２３３により手書された軌跡の位置情報およびそれが書き込もうとしたものであるか、消去しようとしたものであるかを検出することができる。
【００３９】
図４は入力シート上の手書き座標を示し、図５はその書き込み情報を取り込むための手書用デバイス入力座標テーブルを示す。
図４において、破線で示した選択領域１〜３は図１の入力シート３における手書き領域部３３のうち、選択操作のための領域（図１の選択領域３２２）であり、破線で示した手書領域１は文字や絵を入力するための領域である。ここではシート上の座標をＸ座標とＹ座標で表している。
【００４０】
図２の座標変換部２３３による変換情報にもとづき、図４に示すような手書きされた情報を図５のような手書用デバイス入力座標テーブル１３１１のデータとして作成される。
図５では、図４の書込みの有無に対応して、Ｘ座標とＹ座標に対応する値欄は、書込みが検出されたときに「１」、書込みが検出されかあるいは消去されたこと検出されたときには「０」が格納される。
【００４１】
上記のようにして得られた手書用デバイスの入力座標情報に基づいて実行されるシート対応の個別アプリケーションプログラムでの処理について説明する。
指定コード読取部２１で読取られたシートの指定コード３１が処理部３に送信されると、個別処理部１３２では、指定コード３１に対応するシート対応の個別アプリケーションプログラム１３２２が選択されて、実行を開始する。また、選択されたシート対応の個別アプリケーションプログラム１３２２に対応する入力座標−制御情報対応テーブル１３２１が、読み出されて出力装置１１へ転送される。
このようにして読み取られたシート対応の個別アプリケーションプログラムの指定コード３１により、シート対応の個別アプリケーションプログラム処理部１３２２の破線内に示したユーザが入力シート３内に記述された指示に従って操作入力した手書情報は、図４に示す動作原理に従って、図５のような手書用デバイス入力座標テーブル１３１１に格納される。この格納された手書情報の意味はそれぞれの入力シート毎に異なる。
【００４２】
例えば図１０に示す入力シートの例では、ユーザが小さな正方形で囲まれた選択領域を手書用デバイスを使って塗りつぶすことにより、該当する選択が行われる。この各選択領域の座標範囲は図６の入力座標−制御情報対応テーブル１３２１における、Ｘ座標範囲欄およびＹ座標範囲欄に示すようにあらかじめ定めておく。
【００４３】
図６に示すように、入力座標−制御情報対応テーブル１３２１は、入力シート３に対する手書用デバイス２４による選択或いは手書軌跡による入力操作において、手書用デバイス２４の入力許容範囲を決めておくテーブルである。即ち、各入力項目（入力情報名）に対応して、入力の許容範囲をＸ座標範囲、Ｙ座標範囲（from-to）で規定している。
そして、図５の形式で入力された手書情報のＡ及びＹ座標の値を調べ、図６のテーブル１３２１のＸ座標およびＹ座標の範囲内に書込みが行われた場合は図６の状態欄を「１」とし、その範囲外ならば「０」とする。このようにして、入力情報の有効性の判断を行うことできる。即ち、図６における入力情報欄に示す入力情報のいずれが選択されたかを検出することができる。
【００４４】
図６に示すテーブル１３２１の例は、図１０に示すような「医院受信予約シート」の例に基づく場合の入力許容範囲を示すものである。
【００４５】
また、他の例（例２）として、図１２に示すようなメール通信用シートの場合には、手書文字や絵を入力するための手書領域３３を含む。そしてその入力範囲を規定する入力座標−制御情報対応テーブル１３２１は、図１３に示すように、入力情報名の欄には、「手書き入力領域」を示す行が追加され、種類が「領域」となる、手書領域の範囲がＸ座標及びＹ座標の範囲として規定される。
【００４６】
以上のようにして、図５において、手書用デバイス入力座標テーブル１３１１に格納された入力情報であって、入力座標−制御情報対応テーブル１３２１によりその状態が有効となった入力情報に従って、対応するシート対応の個別アプリケーションプログラム１３２２は、必要とするユーザの選択内容や手書文字や絵等の情報を得ることができる。シート対応の個別アプリケーションプログラム１３２２の実行により、入力された情報は対応する入力シート形式に編集処理される。編集処理された情報は、出力装置１１へ送られて、表示画面に表示される。これによってユーザは入力内容の確認や次に操作すべき内容の案内としてその内容を見ることができる。
【００４７】
図１１に示す表示画面は、図１０の入力シートを用いて入力操作を行った場合の例である。表示画面の表示に従い、「確認」又は「取消」は、入力シート３による項目の選択（図１０）のために割り当てられた座標位置３５２又は３５３をペンでクリックするか、あるいはシートの項目に対応するキーであるＳＷ２又はＳＷ３を押下することにより行う。
【００４８】
また、図１３の入力シートによる表示画面の例は、図１４に示すようになる。手書き領域３３からの入力は、そのままの形式で、送信内容のエリア１４３３に表示される。「送信」、「取消」の選択は、座標位置３５４又は３５３をペンでクリックするか、あるいはシートの項目に対応するキーＳＷ２又はＳＷ３を用いて行う。
入力シートのサービス指定コード３１やスイッチの押下情報といった入力情報は、ネットワーク４を経由してサーバシステム５に送付され、サービス管理ＤＢ５２２に格納された参照情報に基づいて、該当するサービスに対応するネットワークサービスサーバ５３にてサービスを実行するための処理が行われ、それにともなって生成される受信情報をネットワーク４経由で受信した後、結果を出力装置１１への出力情報に反映させることができる。
【００４９】
次に、図７、図８を参照して端末システムにおける制御動作を説明する。
図７は、シート入力装置２の状態を監視するための制御プログラムの動作を説明するものである。この制御動作は、操作される入力シートの種類や内容に関係なく、同様の制御が実行される。
一定間隔で発生するタイマ割込みにより起動されると、入力シート３のシート対応の個別アプリケーションプログラム指定コード格納部３１の内容を読み込む(701)。そして入力シート３のページ変更を検出する（702）。もし読み込んだシート対応の個別アプリケーションプログラム指定コードに変化がなければ、「ＮＯ」と判定し、手書入力情報を収容した手書用デバイス入力座標テーブル１３１１の内容を更新する(705)。そして、スイッチ情報処理部２２２から読み出されるスイッチ２２１の状態を更新する(706)。
【００５０】
一方、上記判定において(702)、「ＹＥＳ」と判定された場合には、新しい入力シートに切り替えられたものと判断して、図４で説明した入力座標−制御情報対応テーブル１３２１、出力装置１１への出力情報、手書用デバイス入力座標テーブル１３１１等の格納情報をクリアする(703)。そして、新たな入力シートに関係する入力座標−制御情報対応テーブル１３２１およびシート対応の個別アプリケーションプログラム１３２２を、サーバシステム５におけるＤＢサーバ５２のサービス管理ＤＢ５２２、又は情報通信端末装置１のハードディスクやＣＤ−ＲＯＭ等の大容量記憶装置等からダウンロードした後、これを起動し(704)、ステップ７０５及び７０６の処理を実行する。
【００５１】
次に、図８を参照して、シート対応の個別アプリケーションプログラムの実行動作について説明する。この制御動作は、図１０の入力シート３による動作の例（例１）である。
まず、ユーザが必要な予約情報をすべて入力し、入力シート上に「予約」と記された位置に対応するシート入力装置２のスイッチ２２１が押下されるのを待つ(801)。「予約」スイッチが押下されると、入力座標−制御情報対応テーブル1321の状態欄を更新し(802)、予約情報をシート対応の個別アプリケーションプログラム部１３２２に対応した、サービス管理ＤＢ５２２に格納されたサーバルーティング情報に基づき、対応する予約サービスを実行するネットワークサービスサーバ５３に送信し(803)、このネットワークサービスサーバ５３からのレスポンスを待つ(804)。レスポンスを受領すると、予約結果を出力装置１１に出力する(805)。
【００５２】
その表示画面の表示例を図１１に示す。
この表示内容に対して、ユーザが入力シート上に「確認」と記された位置に対応するシート入力装置２のスイッチ２２１を押下した場合は、サーバシステム５の予約サービスを実行するネットワークサービスサーバ５３に確認情報を送信して予約が確定する（807）。もしステップ８０８で「取消」スイッチの押下を検出した場合には、再びステップ８０１に戻って処理に繰り返す。
【００５３】
図９に示す動作は、図１２に示すような、手書の文字や絵の入力領域を有する入力シートによる操作の実行動作例（例２）である。
ユーザが必要な入力を完了し、入力シート上に「確認」と記された位置に対応するシート入力装置２のスイッチ２２１が押下されるのを待つ(901)。「確認」スイッチが押下されると、入力座標−制御情報対応テーブル１３２１の状態欄を更新し(902)、入力した内容を出力装置１１に出力して表示する(903)。
【００５４】
その表示画面の例を図１４に示す。
この内容に対してユーザが、入力シート上に「送信」と記された位置に対応するシート入力装置２のスイッチ２２１を押下した場合には、サーバシステム５におけるサービス管理ＤＢ５２２に格納されたサーバルーティング情報に基づき、メールの送受信サービスを実行するネットワークサービスサーバ５３にその内容を送信する(905)。もし「取消」スイッチが押下を検出した場合には、再びステップ９０１に戻って処理に繰り返す。
【００５５】
次に、他の実施例について説明する。
図1における実施例において、シート対応の個別アプリケーションプログラム指定コード格納部３１は、各入力シート３の上に形成されているが、これを図１５に示すように、入力シート収容パネル２５の上に形成することもできる。
図１５において、入力シート収容パネル２５は、４角に入力シート保持部２５１を設け、入力シート３はこのシート保持部２５１に保持される。入力シート３に割り当てられたシート対応の個別アプリケーションプログラム指定コードを格納した、シート対応の個別アプリケーションプログラム指定コード格納部３１は、入力シート収容パネル２５の上に収容する。
この例では、各々の入力シートはシート対応の個別アプリケーションプログラム指定コード格納部３１を持つことなく、入力シート３に対応するシート対応の個別アプリケーションプログラム指定コードを指定コード読取部２１に読み込ませることができる。
【００５６】
例えば、入力シート３は通常の印刷により作成するか、あるいはプリンターにより出力する。入力シートに対応するシート対応の個別アプリケーションプログラム指定コードについては、バーコードプリンターや磁気テープ書込み機を使って作成したしたものを入力シート収容パネル２５に貼り付けておく。これにより、図１０や図１２に例示したような書き込みを行う入力シートの場合、夫々の入力シートにシート対応の個別アプリケーションプログラム指定コード格納部３１を備えなくても、シート対応の個別アプリケーションプログラム指定コード格納部３１を貼り付けた入力シート収容パネル２５に対応する入力シート３を装着してから入力シート３による入力を行うことにより、入力シート３を、より容易にかつ安価に実現することが期待できる。
【００５７】
図１６は、シート入力装置２の他の例を示す図である。
すなわち、複数枚の入力シート収容パネル２５を収容パネル取付け部２６に取り付けた場合のシート入力装置２を示す。
収容パネル見出しタグ２５２に付したＡ，Ｂ，Ｃは、入力シート収容パネル２５のページを識別するために付した名称であり、各入力シート収容パネルのページ毎に、特定のシート対応の個別アプリケーションプログラム指定コードに対応した入力シート３を収容する。入力シート収容パネル２５のページ番号示すタグは、例えば接触式のスイッチが配列されたページ読取り部２７で読み取られる。
このような構成により、図１や図１５に示すシート対応の個別アプリケーションプログラム指定コード格納部３１を不要とすることも可能である。
【００５８】
例えば、現在開かれている入力シート収容パネル２５のページ番号は、ページ読取り部２７により読み取られ、収容パネルページ対シート対応の個別アプリケーションプログラム指定コード変換部１３１４を設け、予め開かれたシートページとシート対応の個別アプリケーションプログラム指定コードとの対応を登録しておくことにより現在開かれている入力シートに対応するシート対応の個別アプリケーションプログラム指定コードを得ることができる。
これによって、シート対応の個別アプリケーションプログラム１３２２、入力座標−制御情報対応テーブル１３２１、出力装置１１への出力情報のグループが読出され、そのシート対応の個別アプリケーションプログラムの処理が開始される。
【００５９】
ここで、収容パネルページ読取り部２７により、現在開かれている入力シート収容パネルのページ番号を読み取る方法としては、例えば入力シート収容パネルページ読取り部２７に、入力シート収容パネル見出しタグ２５２によって押下されたときにオンするスイッチを、入力シート収容パネルの数だけ設ける。
例えば、スイッチa,b,cとする。全てのスイッチa,b,cがオンしたときはページＡが開かれていると判断する。以下、スイッチaがオフで、スイッチb,cがオンのときにはページＢが開かれ、スイッチa,bがオフで、スイッチcがオンのときにはページＣが開かれていると判断する。
【００６０】
図１７は、ネットワークを通してのサービスについて説明するための図である。
図１７において、サービスプロバイダーは、ユーザへ提供するための種々の入力シートを用意する。各入力シートはシート対応の個別アプリケーションプログラム指定コードを有している。Ｗｅｂサーバシステム５１は、予め図１に示すシート対応の個別アプリケーションプログラム１３２２及び入力座標−制御情報対応テーブル１３２１を記憶装置に格納しておく。
【００６１】
ユーザによる入力シート３の取得は、例えば、ユーザからの要求により、或いはプロバイダから郵送により行われる（1601）。入力シートの取得の他の例として、例えば、サービスプロバイダが予めコンビニエンスストアや一般小売店に展示しておくことにより、又はインターネット経由でダウンロードて印刷することにより入手できる。
ユーザは、入手したシートから自分が求めるサービスに応じたシートを利用して、入力操作を行う。使用された入力シート３のシート対応の個別アプリケーションプログラム指定コード３１がコード読取部２１で読み取られると、シート対応の個別アプリケーションプログラムが指定される（1602）。
【００６２】
そして、インターネット経由でシート対応の個別アプリケーションプログラム指定コードに対応したシート対応の個別アプリケーションプログラムおよび入力座標−制御情報対応テーブルを読み込む（1603）。そのシート対応の個別アプリケーションプログラムおよびテーブルの情報に基づき、入力シート３を使って入力された入力情報を処理して、サービスプロバイダに送信する（1604）。サービスプロバイダでは、当該シート対応の個別アプリケーションプログラムの実行の下、ユーザからの入力情報により指定された内容のサービス処理を行なう（1605）。
【００６３】
例えば、医院の受信予約サービスの場合には、入力された情報を、関連するネットワークサービスサーバ５３に転送し、そこで予約処理を実行する。また、メールの通信サービスの場合には、取得した入力情報からユーザ管理ＤＢ５２２を参照して、既に登録されている送信先の宛先メールアドレスを読み出し、そのアドレスと入力情報をメールサーバへ転送して、送信実行する。
尚、この場合、当該ユーザに対する課金処理が実行されて、その計算結果はユーザ管理ＤＢ５２１へ格納される。
このように、シート対応の個別アプリケーションプログラム指定コードを有する入力シートを用いることにより、ネットワークを介したサービスの提供が可能となる。
【００６４】
本実施例によれば、以下のような効果がある。
ユーザがサービスを受けたいアプリケーションプログラムを操作実行する際、表示内容の変化する、ＣＲＴや液晶のようなスクリーン画面を使わず、アプリケーション対応にそれぞれ専用に印刷されたシートを用いて、操作することができる。これによって記憶保持機能や認知機能が衰え、スクリーン画面が変化すると操作内容の想起が困難になりがちな高齢者にとっても、より容易に操作することが可能になる。
【００６５】
また、マウスやキーボードを使うことなく、入力シートを用いて簡単に、例えば病院の予約やメールの送信等の個別アプリケーションプログラムの操作を行うことができる。
即ち、入力シートに予め印刷された指示に従って、手書きペン等を使用して選択マークの書込みや、手書文字や絵を入力を行うことができるため、通常病院等で行われているように、印刷された予約表に書き込むのと同じ要領で予約操作が行える。またメールの送出も葉書に書くのと同じように行うことができる。
いずれの場合も、書き間違えた場合は、消しゴムで間違えた内容を訂正すれば、そのまま出力情報として反映されるため、特に訂正のための操作を意識して行う必要はない。
更に、本実施例において、出力装置から音声ガイダンスを出力する機能を付加することにより、音声により次に行うべき操作を指示することができるため、パソコン操作に習熟していないユーザが容易に操作することが可能となる。
【００６６】
また、使用されるパソコン等の情報通信端末装置のハードウェアやオペレーティングシステムが変更されたり、シート対応の個別アプリケーションプログラムがアップデートされても、従前と同じシート入力装置や入力シートを継続して使用することが可能となる。
また、情報通信端末装置とシート入力装置との接続インタフェースを例えばＵＳＢインタフェースのような標準インタフェースを採用することにより、情報通信端末装置側のハードウェア、オペレーティングシステム、シート対応の個別アプリケーションプログラムのアップデートとは関係なく接続が可能である。
【００６７】
また、選択内容や描画データといった基本的な操作情報を情報通信端末装置へ一方向的に送出されるため、オペレーティングシステムやシート対応の個別アプリケーションプログラムから操作に係わる情報を前提としていない。そのためにオペレーティングシステムやシート対応の個別アプリケーションプログラムのアップデータにはあまり影響されずに同じシート入力装置や入力シートを継続的に使用することができる。
ユーザの利用環境や習熟度に応じた構成で、例えば高齢者やパソコンに不慣れな者でも、このシート入力装置の利用が可能である。
また、上記実施例による入力操作環境とパソコンのマウスやキーボード操作環境を混在して使用することも可能である。
【００６８】
また、過去にパソコン操作を習得していたが、新たな操作習得が困難になりつつある高齢者に対しては、既にマウスやキーボードを使った操作に慣れたアプリケーションプログラムに関しては従来通りマウスやキーボードを使って実行し、上記実施例によるサービスのシート対応の個別アプリケーションプログラムは、上述の操作環境により実行するというような使い分けもできる。
【００６９】
上記実施例における入力シートのサイズや材質等に関する前提や制限は特にない。操作説明をカラーやイラストを交えて分かり易くしたり、文字を大きくして見やすくすることができる。またこれらはシートとして紙に印刷するため非常に安価に実現できる。また、シートなので点字による説明等も容易に組み込むことができる。
また、個人対応の入力シートを生成することができる。シートの入力領域の形式とユーザＩＤやパスワード等の個人識別情報とを組合わせ、シート対応の個別アプリケーションプログラムと連携することにより個人対応の入力シートを作成することも容易である。これによって使用する文字のサイズや色をユーザが選択するといったことが実現できる。
【００７０】
尚、本発明は上記実施例に限定されずに種々変形して実施することができる。
例えば、図１の情報通信端末装置１は、パソコンに限らず、携帯電話機やＰＤＡでもよい。
また、図１に示した例では、情報通信端末装置１に具備された入力座標−制御情報対応テーブル１３２１や個別アプリケーションプログラム１３２２は、サーバシステム５側に設けるようにしてもよい。
また、図１の例では、情報通信端末装置１はネットワーク４を介してサーバシステム５に接続されているが、情報通信端末装置１はケーブル等でサーバシステム５に接続されてもよい。
【図面の簡単な説明】
【００７１】
【図１】本発明の一実施例によるサービスシステムを示す図。
【図２】図１のシステムにおいて使用される手書用デバイス２４及び手書軌跡検出部２３の構成を示す図。
【図３】手書用デバイス２４による位置検出の様子を説明するためのタイムチャート図。
【図４】入力シート３上の手書き座標の説明に供する図。
【図５】情報通信端末装置１における手書用デバイス入力座標テーブル１３１１を示す図。
【図６】情報通信端末装置１における入力座標−制御情報対応テーブル１３２１の一例（例１）を示す図。
【図７】共通制御プログラム１３１３による制御動作を説明するためのフローチャート。
【図８】入力シート（例１）による動作を説明するためのフローチャート。
【図９】入力シート（例２）による動作を説明するためのフローチャート。
【図１０】入力シートの例（例１）を示す図。
【図１１】入力シート（例１）による出力装置１１の表示画面の例を示す図。
【図１２】他の例（例２）による入力シートを示す図。
【図１３】例２における入力座標−制御情報対応テーブル１３２１の例を示す図。
【図１４】例２における入力シートによる出力装置１１の表示画面の例を示す図。
【図１５】他の実施例による入力シートの収容パネル２５を示す図。
【図１６】他の実施例によるシート入力装置の構成を示す図。
【図１７】ネットワークによるサービスの様子を示す図。
【符号の説明】
【００７２】
１００  端末システム        １  情報通信端末装置
１１  出力装置              １３  処理部
１３１１  手書用デバイス入力座標テーブル
１３１２  ユーザ情報格納部
１３１３  コントロールプログラム
１３２１  入力座標−制御情報対応テーブル
１３２２  個別アプリケーションプログラム
２  シート入力装置
２１  指定コード読取部          ２２  操作情報入力部
２２２  スイッチ情報処理部      ２３  手書軌跡検出部
２３１、２３２  超音波検出部    ２３３  座標変換部
２４  手書用デバイス            ２４１  手書部
２４２  消去部          ２４３  手書用デバイス制御部
２５    入力シート収容パネル
２５１  入力シート保持部
２５２  入力シート収容パネル見出しタグ
２６    入力シート収容パネル取付け部
２７    収容パネルページ読取り部
３  入力シート
３１  個別アプリケーションプログラム指定コード格納部
３２  操作内容の記述部
３３  手書き領域部
４  ネットワーク
５  サーバシステム。
【図１】
2005326923.tif 000003
【図２】
2005326923.tif 000004
【図３】
2005326923.tif 000005
【図４】
2005326923.tif 000006
【図５】
2005326923.tif 000007
【図６】
2005326923.tif 000008
【図７】
2005326923.tif 000009
【図８】
2005326923.tif 000010
【図９】
2005326923.tif 000011
【図１０】
2005326923.tif 000012
【図１１】
2005326923.tif 000013
【図１２】
2005326923.tif 000014
【図１３】
2005326923.tif 000015
【図１４】
2005326923.tif 000016
【図１５】
2005326923.tif 000017
【図１６】
2005326923.tif 000018
【図１７】
2005326923.tif 000019